(57)【要約】【課題】保持部材及び信号線を固定する必要がある構成にあって、保持部材を固定するための専用の部材を設ける必要が無く、部品点数の削減を実現することができる携帯端末装置を提供する。【解決手段】表示器側筐体１１と、表示器側筐体１１内に配設されたサブＬＣＤ１５と、サブＬＣＤ１５を保持して表示器側筐体１１内に配設されたサブＬＣＤホルダ２２と、表示器側筐体１１内に配設されたサブＬＣＤ側基板２３と、少なくとも一端部がサブＬＣＤ側基板２３と電気的に接続される信号線２４とを有し、サブＬＣＤホルダ２２は、信号線２４によりサブＬＣＤ側基板２３側に押圧される板状受け部２６を有する。信号線２４は、サブＬＣＤホルダ２２によりサブＬＣＤ側基板２３側に押圧される信号線被押圧部を有する。【選択図】図２
2008182610.tif 000002
【特許請求の範囲】
【請求項１】
筐体と、
前記筐体内に配設された電子装置と、
前記電子装置を保持して前記筐体内に配設された保持部材と、
前記筐体内に配設された回路基板と、
少なくとも一端部が前記回路基板と電気的に接続される信号線と、
を有し、
前記保持部材は、前記信号線により前記回路基板側に押圧される保持部材被押圧部を有する、ことを特徴とする携帯端末装置。
【請求項２】
筐体と、
前記筐体内に配設された電子装置と、
前記電子装置を保持して前記筐体内に配設された保持部材と、
前記筐体内に配設された回路基板と、
少なくとも一端部が前記回路基板と電気的に接続される信号線と、
を有し、
前記信号線は、前記保持部材により前記回路基板側に押圧される信号線被押圧部を有する、ことを特徴とする携帯端末装置。
【請求項３】
筐体と、
前記筐体内に配設された電子装置と、
前記電子装置を保持して前記筐体内に配設された保持部材と、
前記筐体内に配設された回路基板と、
少なくとも一端部が前記回路基板と電気的に接続される信号線と、
を有し、
前記保持部材は、前記信号線により前記回路基板側に押圧される保持部材被押圧部を有し、前記信号線は、前記保持部材により前記回路基板側に押圧される信号線被押圧部を有する、ことを特徴とする携帯端末装置。
【請求項４】
前記保持部材被押圧部及び前記信号線被押圧部の少なくとも一方は、前記筐体内面により前記回路基板側に押圧される、ことを特徴とする請求項３に記載の携帯端末装置。
【請求項５】
前記信号線は、複数の同軸ケーブルで構成される、ことを特徴とする請求項２から４のいずれか一項に記載の携帯端末装置。
【請求項６】
前記筐体は、ヒンジ部を介して他の筐体と連結されており、
前記信号線は、前記他の筐体から前記ヒンジ部を介して前記筐体まで延出されて前記回路基板と電気的に接続される、ことを特徴とする請求項１から５のいずれか一項に記載の携帯端末装置。
【請求項７】
前記信号線は、前記電子装置の動作の用に供する信号を前記回路基板に送信し、
前記電子装置は、前記回路基板と電気的に接続されると共に前記信号線から送信された前記電子装置の動作の用に供する信号により動作される、ことを特徴とする請求項１から６のいずれか一項に記載の携帯端末装置。
【請求項８】
前記保持部材は、弾性部材で形成される、ことを特徴とする請求項１から７のいずれか一項に記載の携帯端末装置。
【発明の詳細な説明】
【技術分野】
【０００１】
この発明は、筐体内の電子装置を保持する保持部材と、筐体内の回路基板に接続された信号線とを有する携帯端末装置に関する。
【背景技術】
【０００２】
従来、筐体と、筐体内に配設された電子装置と、電子装置を保持して筐体内に配設された保持部材と、筐体内に配設された回路基板と、少なくとも一端部が回路基板と電気的に接続される信号線とを有する電子機器として、例えば、「接続部材及び電子機器」（特許文献１参照）が知られている。
【特許文献１】特開２００６−３２９４０８号公報
【発明の開示】
【発明が解決しようとする課題】
【０００３】
しかしながら、従来の「接続部材及び電子機器」においては、保持部材と信号線とはそれぞれ筐体内の別々の部材によって固定される構成となっていたため、保持部材を固定する構成及び信号線を固定する構成の双方を別途設ける必要があることから、部品点数が増加することが避けられなかった。
この発明の目的は、保持部材を固定する必要がある構成にあって、保持部材を固定するための専用の部材を設ける必要が無く、部品点数の削減を実現することができる携帯端末装置を提供することである。
【課題を解決するための手段】
【０００４】
上記目的を達成するため、この発明に係る携帯端末装置は、筐体と、前記筐体内に配設された電子装置と、前記電子装置を保持して前記筐体内に配設された保持部材と、前記筐体内に配設された回路基板と、少なくとも一端部が前記回路基板と電気的に接続される信号線と、を有し、前記保持部材は、前記信号線により前記回路基板側に押圧される保持部材被押圧部を有する、ことを特徴としている。
また、この発明に係る携帯端末装置は、筐体と、前記筐体内に配設された電子装置と、前記電子装置を保持して前記筐体内に配設された保持部材と、前記筐体内に配設された回路基板と、少なくとも一端部が前記回路基板と電気的に接続される信号線と、を有し、前記信号線は、前記保持部材により前記回路基板側に押圧される信号線被押圧部を有することを特徴としている。
【０００５】
また、この発明に係る携帯端末装置は、筐体と、前記筐体内に配設された電子装置と、前記電子装置を保持して前記筐体内に配設された保持部材と、前記筐体内に配設された回路基板と、少なくとも一端部が前記回路基板と電気的に接続される信号線と、を有し、前記保持部材は、前記信号線により前記回路基板側に押圧される保持部材被押圧部を有し、前記信号線は、前記保持部材により前記回路基板側に押圧される信号線被押圧部を有する、ことを特徴としている。
また、この発明は、前記保持部材被押圧部及び前記信号線被押圧部の少なくとも一方は、前記筐体内面により前記回路基板側に押圧されることが好ましい。
【０００６】
また、この発明は、前記信号線は、複数の同軸ケーブルで構成されることが好ましい。
また、この発明は、前記筐体は、ヒンジ部を介して他の筐体と連結されており、前記信号線は、前記他の筐体から前記ヒンジ部を介して前記筐体まで延出されて前記回路基板と電気的に接続されることが好ましい。
また、この発明は、前記信号線は、前記電子装置の動作の用に供する信号を前記回路基板に送信し、前記電子装置は、前記回路基板と電気的に接続されると共に前記信号線から送信された前記電子装置の動作の用に供する信号により動作されることが好ましい。
また、この発明は、前記保持部材は、弾性部材で形成されることが好ましい。
【発明の効果】
【０００７】
この発明によれば、保持部材を固定する必要がある構成にあって、保持部材を固定するための専用の部材を設ける必要が無く、部品点数の削減を実現することができる。
【発明を実施するための最良の形態】
【０００８】
以下、この発明を実施するための最良の形態について図面を参照して説明する。
図１は、この発明の一実施の形態に係る携帯端末装置の一例である携帯電話機の開状態を示し、（ａ）はメイン表示器側の斜視図、（ｂ）はサブ表示器側の斜視図である。図１に示すように、携帯端末装置の一例としての携帯電話機１０は、例えば、表示器側筐体（筐体）１１とキー側筐体（他の筐体）１２が、表示器側筐体１１の一端部に設けられたヒンジ部（連結部）１３（（ａ）参照）を介して相互回動自在に連結された折り畳み構造を有しており、表示器側筐体１１とキー側筐体１２とは互いに離反した開状態にすることができる。
【０００９】
ヒンジ部１３は、表示器側筐体１１の一端部側に突設されており、キー側筐体１２の一端部に回動自在に軸支されている。このヒンジ部１３で連結された表示器側筐体１１とキー側筐体１２は、両筐体が略直線上に連続する開状態或いは両筐体が上下に重なった閉状態（図示しない）に、自在に開閉することができる。
表示器側筐体１１の表示面側には、メインＬＣＤ（Ｌｉｑｕｉｄ  Ｃｒｙｓｔａｌ  Ｄｉｓｐｌａｙ）１４（（ａ）参照）が、その裏面側には、サブＬＣＤ１５（（ｂ）参照）が、それぞれ装着されている。なお、メインＬＣＤ１４及びサブＬＣＤ１５は、ＬＣＤ以外に有機ＥＬ（Ｅｌｅｃｔｒｏ−Ｌｕｍｉｎｅｓｃｅｎｃｅ）などの他の表示器により構成されていてもよい。キー側筐体１２の外面上、即ち、操作面側には、押下可能な複数の操作キーを配置した操作部１６（（ａ）参照）が、その裏面側には、バッテリ格納部（図示しない）を塞ぐ蓋体１７（（ｂ）参照）が、それぞれ装着されている。
【００１０】
図８は、図１の表示器側筐体の分解構成図である。図８に示すように、表示器側筐体１１は、フロントケース１８とリアケース１９を重ね合わせた状態で結合して構成され、フロントケース１８とリアケース１９の間には、ＬＣＤユニット１２０が挟み込まれる。
ＬＣＤユニット１２０は、リアケース１９からフロントケース１８に向かって、即ち、図中、下から上へ順番に、サブＬＣＤ（電子装置）１５、サブＬＣＤ側基板（回路基板）２３、フレーム１２３、及びメインＬＣＤ１４を積み重ねた状態で一体に形成されている。サブＬＣＤ１５は、後述するサブＬＣＤホルダ（保持部材）２２（図５参照）に組み込まれた状態で装着される。また、フレーム１２３は、マグネシウム（Ｍｇ）等の金属製部材により形成されている。
つまり、表示器側筐体１１の内部には、サブＬＣＤ１５、サブＬＣＤ側基板２３、フレーム１２３、及びメインＬＣＤ１４が積層状態で配置収納され、同時に、内部外周側に配置された、サブＬＣＤ側基板２３に接続される各種接続部材も収納される。各種接続部材としては、ＬＣＤ用フレキシブルプリント配線板（Ｆｌｅｘｉｂｌｅ  Ｐｒｉｎｔｅｄ  Ｃｉｒｃｕｉｔ：ＦＰＣ）等の他、ＦＰＣコネクタやケーブルコネクタやケーブル等がある。
フロントケース１８の外面側には、メインＬＣＤ１４の外周部を形成するトリムプレート１２４が装着され、トリムプレート１２４のヒンジ部１３側端部には、カバー部材１２５が取り付けられている。リアケース１９には、サブＬＣＤ１５に対応する縦長のカバー１９ａが設けられており（図１参照）、このカバー１９ａを介して、ケース外側からサブＬＣＤ１５を視認することができる。
図２は、サブＬＣＤ１５を保持するサブＬＣＤホルダ２２の装着状態を示し、（ａ）はサブＬＣＤ１５が装着されたサブＬＣＤ側基板２３の平面図、（ｂ）は（ａ）のＢ−Ｂ線に沿う断面によるケース内部の部分断面図である。図３は、図２のサブＬＣＤホルダ２２を示し、（ａ）は平面図、（ｂ）は部分斜視図である。図４は、図２のサブＬＣＤホルダ２２と信号線２４の配置状態を示す斜視図である。
【００１１】
図２から図４に示すように、サブＬＣＤ１５は、例えば、弾性部材で形成された矩形枠状で形成されるサブＬＣＤホルダ２２に保持されており、サブＬＣＤ１５を保持したサブＬＣＤホルダ２２は、例えば、爪部材等によりサブＬＣＤ側基板２３に係止固定されている。即ち、表示器側筐体１１とキー側筐体１２とからなる表示器側筐体１１内には、サブＬＣＤ１５と、サブＬＣＤホルダ２２と、サブＬＣＤ側基板２３とが積層状に配設されている。サブＬＣＤ１５は、リアケース１９に装着した透視可能なカバー１９ａ（図２（ｂ）参照）を介して、リアケース１９の外側から視認することができる。
【００１２】
サブＬＣＤ側基板２３には、信号線２４の少なくとも一端部が、コネクタ２４ａを介して電気的に接続されており、信号線２４は、サブＬＣＤホルダ２２の信号線２４配置側端部に一体的に形成されたドーム状カバー２５と板状受け部（保持部材被押圧部）２６により保持されている（図４参照）。
この信号線２４は、例えば、複数の細線同軸ケーブルで構成されており、キー側筐体１２からヒンジ部１３を介して表示器側筐体１１まで延出されている。信号線２４は、サブＬＣＤ１５の動作の用に供する信号をキー側筐体１２内に配設されたメイン基板からサブＬＣＤ側基板２３に送信し、サブＬＣＤ１５は、サブＬＣＤ側基板２３と電気的に接続されて信号線２４から送信されたサブＬＣＤ１５の動作の用に供する信号を受信し、その受信した信号により動作される。
【００１３】
サブＬＣＤホルダ２２には、フロントケース１８とリアケース１９とを重ね合わせた状態で結合して表示器側筐体１１を形成したとき、リアケース１９の内面がサブＬＣＤホルダ２２と信号線２４との少なくとも一方をサブＬＣＤ側基板２３側に圧接する（図２（ｂ）参照）。従って、表示器側筐体１１内のサブＬＣＤホルダ２２は、リアケース１９とサブＬＣＤ側基板２３の間で固定保持されている。なお、図２（ｂ）に示すように、サブＬＣＤホルダ２２と信号線２４との少なくとも一方を、リアケース１９の内面側に設けられた、例えばゴム等の弾性部材２７がサブＬＣＤ２２と信号線２４との少なくとも一方にサブＬＣＤ側基板２３側に圧接しても良い。
信号線２４は、ドーム状カバー２５の内部を通って配置されることにより、その内部に位置する信号線２４の部分（信号線被押圧部）はドーム状カバー２５の内面によりサブＬＣＤ側基板２３側に押圧され、同時に、サブＬＣＤホルダ２２は、板状受け部２６の上面に沿って配置された信号線２４により、サブＬＣＤ側基板２３側に押圧されることになる。なお、このドーム状カバー２５に代えて、帯状リング２８を設けても良い。ドーム状カバー２５に代えて、帯状リング２８を設けた場合の実施の形態について以下説明する。
【００１４】
図５は、サブＬＣＤ１５を保持する他のサブＬＣＤホルダ２２の装着状態を示し、（ａ）はサブＬＣＤ１５が装着されたＬＣＤ側基板２３の平面図、（ｂ）は（ａ）のＢ−Ｂ線に沿う断面によるケース内部の部分断面図である。図６は、図５のサブＬＣＤホルダ２２を示し、（ａ）は平面図、（ｂ）は部分斜視図である。図７は、図５のサブＬＣＤホルダ２２と信号線２４の配置状態を示す斜視図である。
図５から図７に示すように、サブＬＣＤホルダ２２には、ドーム状カバー２５の代わりに帯状リング２８を設け、この帯状リング２８により信号線２４を保持する構成となっている。帯状リング２８は、例えば、帯状部材を繋げてリング状に形成されており、対向配置された２個のリングが、ドーム状カバー２５と同様に、サブＬＣＤホルダ２２の信号線２４配置側端部に一体的に形成されている。その他の構成及び作用は、ドーム状カバー２５と同様である。なお、この帯状リング２８は帯状部材をリング状に形成しているが、例えば図６（ｃ）に示すように、帯状部材の一部のみを切り欠いた切欠部２９を有するように帯状リング２８をリング状に形成して、帯状リング２８の図５（ｂ）における上下方向への移動を容易ならしめて信号線２４の配置の自由度を高めたり、切欠部２９を介して信号線２４を帯状リング２８のリング内部に信号線２４を挿入可能にすることで、組立の自由度を向上させたりしてもよい。
【００１５】
つまり、信号線２４は、サブＬＣＤホルダ２２の帯状リング２８と板状受け部２６により保持されている（図７参照）。信号線２４は、帯状リング２８の内部を通って配置されることにより、その内部に位置する信号線２４の部分（信号線被押圧部）はドーム状カバー２５の内面によりサブＬＣＤ側基板２３側に押圧され、同時に、サブＬＣＤホルダ２２は、板状受け部２６の上面に沿って配置された信号線２４により、サブＬＣＤ側基板２３側に押圧されることになる。
このように、ドーム状カバー２５（或いは帯状リング２８）を設けたことにより、信号線２４を固定するための専用部材を改めて設ける必要がなくなるので、部品点数を削減することができる。また、サブＬＣＤホルダ２２と信号線２４を密集して配置することができるため、省スペース化を実現することができる。
【００１６】
また、板状受け部２６を設けたことにより、サブＬＣＤホルダ２２を固定するための専用部材を改めて設ける必要がなくなるので、部品点数を削減することができる。また、サブＬＣＤホルダ２２と信号線２４を密集して配置することができるため、省スペース化を実現することができる。
そして、サブＬＣＤホルダ２２に、ドーム状カバー２５（或いは帯状リング２８）と板状受け部２６を設けたことにより、上記効果を同時に得ることができる。また、信号線２４をドーム状カバー２５（或いは帯状リング２８）の内部に挿通させることにより、複数の細線同軸ケーブルで構成される信号線２４を好適に結線することができる。
また、サブＬＣＤホルダ２２が表示器側筐体１１内に組み込まれることにより、ドーム状カバー２５（或いは帯状リング２８）及び板状受け部２６の少なくとも一方は、表示器側筐体１１内面によりサブＬＣＤ側基板２３側に押圧されることになる。このため、サブＬＣＤホルダ２２と信号線２４との固定をより強固なものにすることができる。
【００１７】
また、表示器側筐体１１とキー側筐体１２の筐体がある携帯端末装置１０のように複数の筐体が互いに連結され、そのうちの一の筐体内にサブＬＣＤ１５のような電子装置が配設されるような携帯端末装置における当該複数の筐体同士の信号の送信又は受信を行う信号線２４についても、上述した各構成を適用することができるため、このような複数の筐体を有する携帯端末装置においても部品点数の削減を実現することができる。また、同様にサブＬＣＤ１５の動作の用に供する信号を送信又は受信する信号線２４を有効活用することができる。さらに、サブＬＣＤホルダ２２が弾性部材で形成されることにより、サブＬＣＤ１５及び信号線２４当接部の好適な保護を図ることができる。
なお、本発明は、上述した実施の形態により説明したが、この実施の形態に限定されるものではない。従って、本発明の趣旨を逸脱することなく変更態様として実施するものも含むものである。例えば、本実施形態においては、サブＬＣＤホルダ２２に、ドーム状カバー２５（或いは帯状リング２８）と板受部２６を設ける構成としたが、何れか一方のみを有する構成としても良い。
【図面の簡単な説明】
【００１８】
【図１】この発明の一実施の形態に係る携帯電話機の開状態を示し、（ａ）はメイン表示器側の斜視図、（ｂ）はサブ表示器側の斜視図である。
【図２】サブＬＣＤを保持するサブＬＣＤホルダの装着状態を示し、（ａ）はサブＬＣＤが装着されたＬＣＤ側基板の平面図、（ｂ）は（ａ）のＢ−Ｂ線に沿う断面によるケース内部の部分断面図である。
【図３】図２のサブＬＣＤホルダを示し、（ａ）は平面図、（ｂ）は部分斜視図である。
【図４】図２のサブＬＣＤホルダと信号線の配置状態を示す斜視図である。
【図５】サブＬＣＤを保持する他のサブＬＣＤホルダの装着状態を示し、（ａ）はサブＬＣＤが装着されたＬＣＤ側基板の平面図、（ｂ）は（ａ）のＢ−Ｂ線に沿う断面によるケース内部の部分断面図である。
【図６】図５のサブＬＣＤホルダを示し、（ａ）は平面図、（ｂ）は部分斜視図、（ｃ）は帯状リングの変形例である。
【図７】図５のサブＬＣＤホルダと信号線の配置状態を示す斜視図である。
【図８】図１の表示器側筐体の分解構成図である。
【符号の説明】
【００１９】
１０  携帯電話機
１１  表示器側筐体（筐体）
１２  キー側筐体（他の筐体）
１３  ヒンジ部（連結部）
１４  メインＬＣＤ
１５  サブＬＣＤ
１６  操作部
１７  蓋体
１８  フロントケース
１９  リアケース
２０  フロントケース
２１  リアケース
２２  サブＬＣＤホルダ（保持部材）
２３  サブＬＣＤ側基板（回路基板）
１９ａ  カバー
２４  信号線
２４ａ  コネクタ
２５  ドーム状カバー
２６  板状受け部（保持部材被押圧部）
２７  弾性部材
２８  帯状リング
２９  切欠部
１２０  ＬＣＤユニット
１２３  フレーム
１２４  トリムプレート
１２５  カバー部材
【図１】
2008182610.tif 000003
【図２】
2008182610.tif 000004
【図３】
2008182610.tif 000005
【図４】
2008182610.tif 000006
【図５】
2008182610.tif 000007
【図６】
2008182610.tif 000008
【図７】
2008182610.tif 000009
【図８】
2008182610.tif 000010